(57)【要約】【課題】室外機の背面と壁面などの間隔が小さくても、配管の接続にあたって良好な作業性を確保することができる空気調和機を提供する。【解決手段】空気調和機の室外機１３は、圧縮機を収容する機械室を前方から仕切るフロントパネル３８を備える。フロントパネル３８に形成される窓孔４６内に、ガス配管２７の接続端３１と、ガス配管２７に組み入れられる第１操作弁３３と、ガス配管２７の重力方向下方に配置される液配管２８の接続端３２と、液配管２８に組み入れられる第２操作弁３４とが配置される。【選択図】図３
2017083142.tif 000002
【特許請求の範囲】
【請求項１】
圧縮機を収容する機械室の前方に設けられ室外機の外装の一部を構成するフロントパネルと、
前記フロントパネルから前方に突き出る接続端を有する第１配管と、
前記第１配管に組み入れられて、前記フロントパネルから前方に突き出る第１操作弁と、
前記第１配管の下方で前記フロントパネルから前方に突き出る接続端を有する第２配管と、
前記第２配管に組み入れられて、前記フロントパネルから前方に突き出る第２操作弁と、
を備えることを特徴とする空気調和機。
【請求項２】
請求項１に記載の空気調和機において、前記フロントパネルのパネル面を含む仮想平面に沿って広がる吹き出しグリルと、圧縮機を収容する機械室の側方に設けられ室外機の側面を構成するサイドパネルとを備え、前記第１配管の接続端の軸心および前記第２配管の接続端の軸心は前記フロントパネルのパネル面に平行に設置され、前記第１配管の接続端および前記第２配管の接続端は前記サイドパネル側に向けられることを特徴とする空気調和機。
【請求項３】
請求項１〜２のいずれか１項に記載の空気調和機において、前記フロントパネルに取り付けられて、前記第１配管の接続端、前記第１操作弁、前記第２配管の接続端および前記第２操作弁を覆う配管カバーを備えることを特徴とする空気調和機。
【請求項４】
請求項１〜３のいずれか１項に記載の空気調和機において、前記第１操作弁の上方に配置される端子台と、前記フロントパネルに取り付けられて前記端子台を覆う遮水カバーとを備えることを特徴とする空気調和機。
【発明の詳細な説明】
【技術分野】
【０００１】
本発明は空気調和機の室外機に関する。
【背景技術】
【０００２】
空気調和機の設置にあたって室内機の配管は屋外に引き出され室外機に接続される。接続にあたって室内機の配管は膨張弁に繋がる液配管と四方弁に繋がるガス配管とにそれぞれ結合される。結合が完了すると、液配管の操作弁とガス配管の操作弁とが開放される。こうして室内機の配管に冷媒は導入される。一般的に、液配管の操作弁とガス配管の操作弁は、室外機の側面に設けられている。
【先行技術文献】
【特許文献】
【０００３】
【特許文献１】特開平１０−３３９４７８号公報
【発明の概要】
【発明が解決しようとする課題】
【０００４】
室外機の設置環境によっては、室外機の側面に突起部を設けないようにすることが求められる場合がある。そのため、液配管の操作弁およびガス配管の操作弁を、室外機の側面ではなく背面側に配置することが考えられている。
【０００５】
特許文献１では、リアパネルから後方に液配管の操作弁およびガス配管の操作弁は突き出る。したがって、室外機の背面が小さい間隔で背後の壁面などに向き合わせられると、配管の結合作業や弁操作に手間取ってしまう。
【０００６】
本発明は、室外機の背面と壁面などの間隔が小さくても、配管の接続にあたって良好な作業性を確保することができる空気調和機を提供することを目的とする。
【課題を解決するための手段】
【０００７】
本発明の一形態は、圧縮機を収容する機械室の前方に設けられ室外機の外装の一部を構成するフロントパネルと、前記フロントパネルから前方に突き出る接続端を有する第１配管と、前記第１配管に組み入れられて、前記フロントパネルから前方に突き出る第１操作弁と、前記第１配管の下方で前記フロントパネルから前方に突き出る接続端を有する第２配管と、前記第２配管に組み入れられて、前記フロントパネルから前方に突き出る第２操作弁とを備える空気調和機に関する。
【０００８】
空気調和機では室外機および室内機で冷凍回路が形成される。室内機の配管は室外に引き出され室外機に接続される。接続にあたって室内機の配管は第１配管の接続端および第２配管の接続端にそれぞれ結合される。こうして冷凍回路は閉じられる。第１操作弁および第２操作弁が開放されると、室内機の配管に冷媒は流通する。
【０００９】
第１配管の接続端、第１操作弁、第２配管の接続端および第２操作弁は室外機の前面に配置されるので、室外機の側方への突き出しは回避される。室外機の横幅は抑制される。室外機の背面と壁面などの間隔が小さくても、フロントパネルの前方で結合作業や弁操作を実施することができることから、良好な作業性は確保される。しかも、室外機の背面でリアパネルの膨らみは回避されることから、室外機の背面は最大限に背後の壁面などに接近することができる。こうして室外機の背面と背後の物体との間隔が縮小されても、配管の接続にあたって作業性は損なわれない。
【００１０】
空気調和機では、前記第１配管は、前記フロントパネルのパネル面に垂直に前記パネル面から突き出て、前記パネル面から所定の距離で前記パネル面に平行に屈曲し前記接続端を形成し、前記第１操作弁は、前記パネル面の垂直方向に前記第１配管の延長線上に同軸に配置され、前記第２配管は、前記フロントパネルのパネル面に垂直に前記パネル面から突き出て、前記パネル面から所定の距離で前記パネル面に平行に屈曲し前記接続端を形成し、前記第２操作弁は、前記パネル面の垂直方向に前記第２配管の延長線上に同軸に配置されればよい。第１配管および第２配管では接続端の軸心はフロントパネルのパネル面に平行に配置されることから、個々の接続端に結合される室内機の配管の出っ張りは最小限に抑えられる。しかも、作業者は室内機の配管に邪魔されずに良好に第１操作弁や第２操作弁の操作を実現することができる。 
【００１１】
空気調和機は、前記フロントパネルのパネル面を含む仮想平面に沿って広がる吹き出しグリルと、圧縮機を収容する機械室の側方に設けられ室外機の側面を構成するサイドパネルとを備えてもよい。ここでは、前記第１配管の接続端の軸心および前記第２配管の接続端の軸心は前記フロントパネルのパネル面に平行に設置され、前記第１配管の接続端および前記第２配管の接続端は前記吹き出しグリルから遠ざかる方向（前記サイドパネル側）に向けられればよい。前述のように、第１配管の接続端および第２配管の接続端には室内機の配管が結合される。室内機の配管の位置は第１配管の接続端および第２配管の接続端の向きに拘束されることから、室内機の配管は相互に近接して吹き出しグリルから遠ざかるように延びる。こうして室内機の配管に邪魔されずに空気は吹き出しグリルから前方に流出することができる。
【００１２】
空気調和機は、前記フロントパネルに取り付けられて、前記第１配管の接続端、前記第１操作弁、前記第２配管の接続端および前記第２操作弁を覆う配管カバーを備えてもよい。配管カバーはフロントパネル上に配置されて化粧カバーとして機能する。フロントパネルの見栄えは向上する。また配管カバーは、前記第一配管あるいは前記第二配管の接続端に付着する凝縮水を回収することができる。回収された凝縮水は、室外機の底面に設けられている排水孔から排水される。こうして室外機の排水孔以外から水滴が落下することを防止できる。
【００１３】
空気調和機は、前記第１操作弁の上方に配置される端子台と、前記フロントパネルに取り付けられて前記端子台を覆う遮水カバーとを備えてもよい。室外機には室内機から電力や制御信号が供給される。電力等の供給にあたって室内機から室外機に電源線が接続される。電源線は端子台に結合される。端子台は室外機の前面に配置されるので、遮水カバーの室外機の側方への突き出しは回避される。室外機の横幅は抑制される。しかも、室外機の背面でリアパネルの膨らみは回避されることから、室外機の背面は最大限に背後の壁面などに接近することができる。こうして室外機の背面と背後の物体との間隔が縮小されても、配管の接続にあたって作業性は損なわれない。
【発明の効果】
【００１４】
以上のように本発明によれば、室外機の背面と壁面などの間隔が小さくても、配管の接続にあたって良好な作業性を確保することができる。
【図面の簡単な説明】
【００１５】
【図１】本発明の一実施形態に係る空気調和機の構成を概略的に示す概念図である。
【図２】室外機の背面を概略的に示す斜視図である。
【図３】室外機の背面を下方から概略的に示す斜視図である。
【図４】補助カバーの全体斜視図である。
【発明を実施するための形態】
【００１６】
以下、添付図面を参照しつつ本発明の一実施形態を説明する。
【００１７】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１８】
冷凍回路１９は第１循環経路２１を備える。第１循環経路２１は四方弁１８の第１口１８ａおよび第２口１８ｂを相互に結ぶ。第１循環経路２１には圧縮機１５が組み入れられる。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１９】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーの交換を実現する。室内熱交換器１４は、通過する冷媒と周囲の空気との間で熱エネルギーの交換を実現する。第２循環経路２２は、前述した冷媒配管で形成される。
【００２０】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜け、冷媒と熱交換する。通り抜ける気流の流量は羽根車の回転数に応じて調整される。
【００２１】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００２２】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２３】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２４】
第２循環経路２２は、室内熱交換器１４を通過する室内機配管２６と、室外機１３に組み込まれるガス配管２７および液配管２８とを含む。ガス配管２７は、四方弁１８の第４口１８ｄに繋がって、第１接続端３１で室内機配管２６のガス側接続端２６ａに接続される。ガス配管２７の第１接続端３１は室内機配管２６のガス側接続端２６ａに取り外し可能に結合される。液配管２８は、膨張弁１７に繋がって、第２接続端３２で室内機配管２６の液側接続端２６ｂに接続される。液配管２８の第２接続端３２は室内機配管２６の液側接続端２６ｂに取り外し可能に結合される。
【００２５】
ガス配管２７には第１操作弁３３が組み入れられる。第１操作弁３３は所定の動作に応じてガス配管２７の流路を開閉する。ねじ溝で案内される弁体の進退動作に基づき第１操作弁３３の開閉動作は達成される。
【００２６】
同様に、液配管２８には第２操作弁３４が組み入れられる。第２操作弁３４は所定の動作に応じて液配管２８の流路を開閉する。ねじ溝で案内される弁体の進退動作に基づき第２操作弁３４の開閉動作は達成される。
【００２７】
（２）室外機の構成
図２に示されるように、室外機１３の外装を構成する外装パネル３５は底板３６を含む。底板３６は、室外機１３の最下部に設けられる。底板３６上に室外熱交換器１６、送風ファン２３、圧縮機１５、膨張弁１７、四方弁１８、その他のユニットおよび部品は設置される。底板３６上に送風ファン２３の収容空間は区画される。室外機１３の後方となる収容空間の背面は、室外熱交換器１６で塞がれる。
【００２８】
外装パネル３５は２つのサイドパネル３７ａ、３７ｂおよびフロントパネル３８を含む。底板３６にサイドパネル３７ａ、３７ｂおよびフロントパネル３８は固定される。一方のサイドパネル３７ａは機械室側に設けられる。サイドパネル３７ａに連続するフロントパネル３８は機械室の前方に設けられる。機械室には圧縮機１５や膨張弁１７、四方弁１８、電装品箱などが収容される。機械室と送風ファン２３の収容空間の間には隔壁が設けられる。他方のサイドパネル３７ｂは、送風機室側に設けられる。送風機室には、送風ファン２３や室外熱交換器１６が収容される。
【００２９】
外装パネル３５は天板３９を含む。天板３９は上方から機械室および送風ファン２３の収容空間を仕切る。天板３９はサイドパネル３７ａ、３７ｂおよびフロントパネル３８の上端に結合される。
【００３０】
外装パネル３５は吹き出しグリル４１を含む。吹き出しグリル４１は送風ファン２３の前面に配置される。吹き出しグリル４１はフロントパネル３８のパネル面３８ａを含む仮想平面に沿って広がる。吹き出しグリル４１はパネル面３８ａよりも送風機室側に設けられる。送風ファン２３が回転すると、吹き出しグリル４１から気流は吹き出す。
【００３１】
フロントパネル３８には補助カバー４２が取り付けられる。補助カバー４２は配管カバー４３および遮水カバー４４で形成される。遮水カバー４４は配管カバー４３の上方（重力方向上方）に配置される。配管カバー４３の側面には切り欠き４５が形成される。切り欠き４５から室内機配管２６や電源線および信号線は引き込まれる。電源線は室内機１２から室外機１３に電力を供給する。信号線は室内機１２から室外機に制御信号を供給する。電力および制御信号は圧縮機１５や膨張弁１７、四方弁１８、電装品箱その他に分配される。切り欠き４５は、サイドパネル３７ａおよびフロントパネル３８の継ぎ目にもっとも近い縁に沿って配置される。
【００３２】
図３に示されるように、補助カバー４１が取り外された状態のフロントパネル３８には第１窓孔４６および第２窓孔４７が形成される。第２窓孔４７は重力方向に第１窓孔４６の上方に配置される。配管カバー４３は第１窓孔４６を閉鎖する。遮水カバー４４は第２窓孔４７を閉鎖する。
【００３３】
第１窓孔４６内にはガス配管２７の第１接続端３１、第１操作弁３３、液配管２８の第２接続端３２および第２操作弁３４が配置される。ガス配管２７の第１接続端３１はフロントパネル３８のパネル面３８ａから前方に突き出る。ガス配管２７は、フロントパネル３８のパネル面３８ａに垂直にパネル面３８ａから突き出て、パネル面３８ａから所定の距離でパネル面３８ａに平行に屈曲する。こうしてガス配管２７の第１接続端３１の軸心はフロントパネル３８のパネル面３８ａに平行に設置される。第１操作弁３３はパネル面３８ａの垂直方向にガス配管２７の延長線上に同軸に配置される。ガス配管２７の第１接続端３１は室外熱交換器１６から遠ざかる方向に向けられる。すなわち、第１接続端３１の軸心は、サイドパネル３７ａおよびフロントパネル３８の間に形成される稜線に向けられる。
【００３４】
液配管２８の第２接続端３２はフロントパネル３８のパネル面３８ａから前方に突き出る。液配管２８はガス配管２７の下方（重力方向下方）に配置される。液配管２８は、フロントパネル３８のパネル面３９ａに垂直にパネル面３８ａから突き出て、パネル面３８ａから所定の距離でパネル面３８ａに平行に屈曲する。こうして液配管２８の第２接続端３２の軸心はガス配管２７の第１接続端３１の軸心に並列にフロントパネル３８のパネル面３８ａに平行に設置される。第２操作弁３４はパネル面３８ａの垂直方向に液配管２８の延長線上に同軸に配置される。液配管２８の第２接続端３２は室外熱交換器１６から遠ざかる方向に向けられる。すなわち、第２接続端３２の軸心は、サイドパネル３７ａおよびフロントパネル３８の間に形成される稜線に向けられる。第１接続端３１の軸心と第２接続端３２の軸心とは相互に平行に配置されればよい。
【００３５】
第１窓孔４６内で液配管２８には補助接続端４８がさらに形成される。補助接続端４８は、パネル面３８ａから所定の距離で第２接続端３２に反対向きに第２接続端３２に同軸に延びる。補助接続端４８には真空ポンプが接続されることができる。
【００３６】
第２窓孔４７内には端子台４９が配置される。すなわち、端子台４９は重力方向に第１操作弁３３の上方に配置される。端子台４９には室内機１２から延びる電源線および信号線が結合される。
【００３７】
底板３６には４つの固定脚５１が固定される。前側の２つの固定脚５１は底板３６の前側縁から前方に突き出る。後側の２つの固定脚５１は底板３６の後側縁から後方に突き出る。固定脚５１は地面や土台その他の設置面に固定されて設置面上に室外機１３を支持する。
【００３８】
底板３６にはドレン口が形成される。底板３６は、室外熱交換器１６の下方でドレン口に向かって下るように傾斜する。ドレン口には、室外熱交換器１６から滴る凝縮水が集められる。集められた凝縮水はドレン口から外部に排出されることができる。
【００３９】
図４に示されるように、配管カバー４３は、第１窓孔４６から前方に突き出る第１接続端３１、第２接続端３２、第１操作弁３３および第２操作弁３４を収容する空間５３を区画する。空間５３の下端で配管カバー４３の縁４３ａは第１窓孔４６の輪郭に沿ってフロントパネル３８のパネル面３８ａに密着する。第１接続端３１や第２接続端３２、第１操作弁３３、第２操作弁３４から滴る凝縮水は配管カバー４３で受け止められる。配管カバー４３は、受け止めた凝縮水を第１窓孔４６から底板３６に向かって誘導する。こうして第１接続端３１や第２接続端３２、第１操作弁３３、第２操作弁３４から滴る凝縮水はドレン口に向かって集められる。
【００４０】
遮水カバー４４には第２窓孔４７の周囲でフロントパネル３８に密着する縁４４ａが形成される。縁４４ａは重力方向下方位置で途切れる。遮水カバー４４は、縁４４ａを含む仮想平面から前方に膨らむ。したがって、縁４４ａを含む仮想平面と遮水カバー４４との間には空間５４が区画される。空間５４は下端で配管カバー４３内側の空間５３に連続する。端子台４９から延びる電源線および信号線は２つの空間５４、５３を通過して切り欠き４５から引き出される。
【００４１】
（３）室外機の接続作業
次に室外機１３の設置作業を簡単に説明する。据え付け位置に室外機１３を据え付ける。据え付け位置の設置面に固定脚５１を固定する。このとき、第１操作弁３３および第２操作弁３４は閉弁状態に維持される。室外機１３内の冷凍回路１９には冷媒が封じ込められる。フロントパネル３８から補助カバー４２を取り外す。
【００４２】
室内機配管２６は室内機１２から室外に引き出される。ガス配管２７の第１接続端３１に室内機配管２６のガス側接続端２６ａを結合する。同様に、液配管２８の第２接続端３２に室内機配管２６の液側接続端２６ｂを結合する。こうして室外機１３および室内機１２の間で冷凍回路１９は閉回路となる。
【００４３】
液配管２８の補助接続端４８には真空ポンプが接続される。真空ポンプを動作させ、室内機配管２６内で真空を確保する。真空が確保されたら、第１操作弁３３および第２操作弁３４を開放して室内機配管２６内に冷媒を流通させる。こうして冷凍回路１９内は冷媒で充填される。
【００４４】
室外機１３では、ガス配管２７の第１接続端３１、第１操作弁３３、液配管２８の第２接続端３２および第２操作弁３４は室外機１３の前面に配置されるので、室外機１３の側方への突き出しは回避される。室外機１３の横幅は抑制される。室外機１３の側方および奥行きに十分な空間がなくても、フロントパネル３８の前方で結合作業や弁操作を実施することができることから、良好な作業性は確保される。しかも、室外機１３の背面でリアパネルの膨らみは回避されることから、室外機１３の背面は最大限に背後の壁面などに接近することができる。こうして室外機１３の背面と背後の物体との間隔が縮小されても、配管の接続にあたって作業性は損なわれない。
【００４５】
ガス配管２７および液配管２８では第１接続端３１および第２接続端３２の軸心はフロントパネル３８のパネル面３８ａに平行に配置されることから、個々の接続端３１、３２に結合される室内機配管２６の出っ張りは最小限に抑えられる。しかも、作業者は室内機配管２６に邪魔されずに良好に第１操作弁３３や第２操作弁３４の操作を実現することができる。
【００４６】
ガス配管２７の第１接続端３１および液配管２８の第２接続端３２には室内機配管２６が結合される。室内機配管２６の位置はガス配管２７の第１接続端３１および液配管２８の第２接続端３２の向きに拘束されることから、室内機配管２６は相互に近接して吹き出しグリル４１から遠ざかるように延びる。こうして室内機配管２６に邪魔されずに空気は吹き出しグリル４１から前方に流出することができる。
【００４７】
補助カバー４２はフロントパネル３８上に配置されて化粧カバーとして機能する。ガス配管２７の第１接続端３１、第１操作弁３３、液配管２８の第２接続端３２、第２操作弁３４は配管カバー４３で覆われることから、フロントパネル３８の見栄えは向上する。同様に、端子台４９は遮水カバー４４で覆われることから、フロントパネル３８の見栄えは向上する。
【００４８】
室外機１３には室内機１２から電力および制御信号が供給される。電力の供給にあたって室内機１２から室外機１３に電源線が接続される。電源線は端子台４９に結合される。端子台４９は室外機１３の前面に配置されるので、遮水カバー４４の室外機１３の側方への突き出しは回避される。室外機１３の横幅は抑制される。しかも、室外機１３の背面でリアパネルの膨らみは回避されることから、室外機１３の背面は最大限に背後の壁面などに接近することができる。こうして室外機１３の背面と背後の物体との間隔が縮小されても、配管の接続にあたって作業性は損なわれない。
【符号の説明】
【００４９】
１１  空気調和機、１５  圧縮機、１６  熱交換器（室外熱交換器）、２７  第１配管（ガス配管）、２８  第２配管（液配管）、３１  第１接続端、３２  第２接続端、３３  第１操作弁、３４  第２操作弁、３８  フロントパネル、３８ａ  パネル面、４３  配管カバー、４４  遮水カバー、４６  窓孔（第１窓孔）、４９  端子台。
【図１】
2017083142.tif 000003
【図２】
2017083142.tif 000004
【図３】
2017083142.tif 000005
【図４】
2017083142.tif 000006